(57)【特許請求の範囲】
【請求項１】
寝室に設置されたエアコンデイショナーと、寝室内の温度を検知する室内温度センサと、前記エアコンデイショナーを制御する制御装置とを備えた寝室環境制御システムであって、
寝室に寝ている人を撮像する撮像手段と、
この撮像手段から出力される映像信号に基づいて寝室に寝ている人の動きを検出する体動検出手段と、
前記人の温度を検出する人体温度検出手段と、
外気を寝室内へ取り入れる開閉可能な第１窓と、
寝室内の空気を外へ排出するための第２窓と、
第１窓を開閉動作させる開閉駆動手段と、
外気の温度を検知する外気温度センサとを備え、
前記制御装置は、前記室内温度センサの検知温度と、体動検出手段が検出する体動の回数と、人体温度検出手段が検出する人体温度と、外気温度センサが検知する外気温度とに応じて前記エアコンデイショナーと開閉駆動手段とを制御することを特徴とする寝室環境制御システム。
【請求項２】
寝室の湿度を検出する室内湿度センサと、
外気の湿度を検出する外気湿度センサと、
外気の風速を検出する風速センサとを備え、
前記制御装置は、前記室内温度センサの検知温度と、体動検出手段が検出する体動の回数と、人体温度検出手段が検出する人体温度と、外気温度センサが検知する外気温度と、
室内湿度センサが検出する寝室の湿度と、外気湿度センサが検出する外気湿度と、風速センサが検出する外気の風速とに応じて前記エアコンデイショナーと開閉駆動手段とを制御することを特徴とする請求項１記載の寝室環境制御システム。 
【発明の詳細な説明】
【技術分野】
【０００１】
この発明は、快適な安眠が得られるように寝室の環境を制御する寝室環境制御システムに関する。
【背景技術】
【０００２】
従来から、快適な安眠が得られるようにした寝具装置が知られている（特許文献１参照）。
【０００３】
かかる寝具装置は、寝具本体内に循環路を形成し、この循環路に温風または冷風を送り込むポンプと、温風や冷風を生成する熱電素子等とを設け、熱電素子で生成した温風や冷風をポンプにより循環路に送り込んで、寝具本体を適正な温度にして快適な睡眠が得られるようにしたものである。
【特許文献１】ＰＣＴ／ＫＲ９７／０００６０号公報
【発明の開示】
【発明が解決しようとする課題】
【０００４】
しかしながら、このような寝具装置にあっては、寝具本体の温度を予め設定された所定温度になるように制御するだけであるから、快適な睡眠が得られているかどうかが分からず、また、夏期には寝具に包まれて寝ていない場合が多く、効果が十分に発揮されていない可能性があった。
【０００５】
この発明の目的は、快適な睡眠が確実に得られる寝室環境制御システムを提供することにある。
【課題を解決するための手段】
【０００８】
請求項１の発明は、寝室に設置されたエアコンデイショナーと、寝室内の温度を検知する室内温度センサと、前記エアコンデイショナーを制御する制御装置とを備えた寝室環境制御システムであって、
寝室に寝ている人を撮像する撮像手段と、
この撮像手段から出力される映像信号に基づいて寝室に寝ている人の動きを検出する体動検出手段と、
前記人の温度を検出する人体温度検出手段と、
外気を寝室内へ取り入れる開閉可能な第１窓と、寝室内の空気を外へ排出するための第２窓と、第１窓を開閉動作させる開閉駆動手段と、外気の温度を検知する外気温度センサとを備え、
前記制御装置は、前記室内温度センサの検知温度と、体動検出手段が検出する体動の回数と、人体温度検出手段が検出する人体温度と、外気温度センサが検知する外気温度とに応じて前記エアコンデイショナーと開閉駆動手段とを制御することを特徴とする。 
【０００９】
請求項２の発明は、上記において、
寝室の湿度を検出する室内湿度センサと、
外気の湿度を検出する外気湿度センサと、
外気の風速を検出する風速センサとを備え、
前記制御装置は、前記室内温度センサの検知温度と、体動検出手段が検出する体動の回数と、人体温度検出手段が検出する人体温度と、外気温度センサが検知する外気温度と、
室内湿度センサが検出する寝室の湿度と、外気湿度センサが検出する外気湿度と、風速センサが検出する外気の風速とに応じて前記エアコンデイショナーと開閉駆動手段とを制御することを特徴とする。 
【発明の効果】
【００１０】
この発明によれば、体動検出手段が検出する体動の回数等に応じてエアコンデイショナーと開閉駆動手段とを制御するものであるから、季節に拘わらず快適な睡眠が確実に得られる。 
【発明を実施するための最良の形態】
【００１１】
以下、この発明に係る寝室環境制御システムの実施の形態である実施例を図面に基づいて説明する。
【実施例】
【００１２】
図１はこの発明にかかる寝室環境制御システムを適用した寝室を概略的に示した概念図である。図１において、１は寝室であり、この寝室１の壁２にはエアコンデイショナー（エアコン装置）３が取り付けられている。また、壁２の下部には地窓４が形成され、この地窓４には戸５が開閉自在に設けられており、この戸５はモータＭによって開閉動作するようになっている。
【００１３】
また、寝室１の天井６には赤外線カメラ（撮像手段）７が取り付けられており、この赤外線カメラ７で例えばベッド８に寝る人９を撮像するようになっている。また、天井６には、寝室１の温度を検知する室内温度センサＳ１と、寝室１の湿度を検出する湿度センサＳ２とが設けられている。
【００１４】
寝室１の壁１０の上部には欄間１１が設けられており、この欄間１１には欄間ドア１１Ａが開閉自在に取り付けられている。隣室１２の天井１３には天窓１４が開閉可能に設けられている。そして、地窓４から外気が取り入れられるとともに寝室１内の空気が欄間１１および天窓１４を介して外へ出て行くようになっている。
【００１５】
寝室１の外には、外気の温度を検知する外気温度センサＳ３と、外気の湿度を検出する外気湿度センサＳ４と、外気の風速を検出する風速センサＳ５とが設けられている。
【００１６】
図２は寝室環境制御システムの制御系の構成を示したブロック図である。図２において、２０は赤外線カメラ７から出力される画像信号に基づいてベッド８上の人の動きである体動、すなわち例えば寝返りなどを検出する画像処理回路（体動検出手段）である。
【００１７】
２１は赤外線カメラ７から出力される画像信号に基づいて露出している人体の首，顔，頭部や手足などからいずれかの表面温度（人体温度）を検出する体温検出回路（人体温度検出手段）である。
【００１８】
２２は画像処理回路２０が検出する寝返りなどの体動の単位時間あたりの回数をカウントし、このカウント数と室内温度センサＳ１の検出温度と体温検出回路２１が検出する表面温度とに基づいてエアコンデイショナー３を制御したり、各センサＳ２〜Ｓ５の検出信号とに基づいてモータＭを制御したりする制御装置である。
【００１９】
［動  作］
次に、寝室環境制御システムの動作について説明する。
【００２０】
夏期の場合、就寝時に先ず図示しないスタートスイッチをオンする。このオンにより、外気温度センサＳ３が検出する温度が２７度Ｃより高いとき、制御装置２２はモータＭを制御して戸５を閉成動作させて地窓４を閉める。そして、エアコンデイショナー３が睡眠モードで駆動され、寝室１内の冷房が行われる。
【００２１】
この冷房中、赤外線カメラ７が就寝している人９を撮像し、この撮像した画像信号を出力する。この画像信号は画像処理回路２０により所定の画像処理が行われてベッド８上の人９の寝返りなどの体動を検出する。
【００２２】
制御装置２２は、画像処理回路２０が検出する体動の回数をカウントしていき、このカウント数が一時間当たり２回以上のとき、寝苦しさを感じているとして、エアコンデイショナー３の設定温度を低くしたり風量を増加させたりする。これにより、快適な睡眠が確実に得られる。
【００２３】
この場合、例えば室内温度センサＳ１が検出する室内温度が高ければその設定温度を大きく下げ、体温検出回路２１が検出する表面温度が高ければその風量を大きくする。このため、さらに快適な睡眠が得られることになる。
【００２４】
外気温度センサＳ３が検出する温度が２７度Ｃ以下になると、体動のカウント数が一時間当たり２回より少ないとき、制御装置２２はエアコンデイショナー３の駆動を停止させるとともに、モータＭを駆動制御して戸５を開成動作させて地窓４を開ける。これにより、外気を地窓４を介して寝室１内に取り込み、寝室１内の空気を欄間１１および天窓１４を介して外へ排出させる。すなわち、破線の矢印で示すように外気を寝室１内に流して寝室１を涼しくさせる。これにより省エネを図る。
【００２５】
体動のカウント数が一時間当たり２回以上のとき、外気温が２７度Ｃ以下になっても地窓４を開けずにそのままエアコンデイショナー３の駆動を続行させる。また、室内湿度センサＳ２が検出する湿度が高いとき、例えば検出した湿度が７０％以上のとき、体動のカウント数に拘わりなく地窓４を開けずにそのままエアコンデイショナー３の駆動を続行させる。
【００２６】
また、外気温度センサＳ３が検出する温度が２７度Ｃ以下であっても、外気湿度センサＳ５が検出する湿度が７０％以上のとき、上記と同様にそのままエアコンデイショナー３の駆動を続行させる。この場合、体動のカウント数が２回／（時間）以上のとき、エアコンデイショナー３の設定温度を低くしたり風量を増加させたりする。
【００２７】
外気の湿度が湿度が７０％以上のとき、外気の温度が２７度Ｃより大きく低下すれば、体動のカウント数が２回／（時間）より少ない場合、エアコンデイショナー３の駆動を停止させる。
【００２８】
外気が３０度Ｃ以下で、外気の風速が強いとき、例えば風速が１.２ｍ／(秒)ないし２ｍ／(秒)のとき、体動のカウント数が２回／（時間）より少ない場合、エアコンデイショナー３の駆動を停止させるとともに地窓４を開ける。体動のカウント数が２回／（時間）以上の場合には、地窓４を開けずにそのままエアコンデイショナー３の駆動を続行させる。
【００２９】
そして、地窓４を開けた場合、外気の温度が例えば２６度Ｃ以下になったら、体動のカウント数が２回／（時間）より少ないとき、モータＭを駆動制御して地窓４を半開させる。体動のカウント数が２回／（時間）以上のときには、地窓４を閉めてエアコンデイショナー３を駆動させる。
【００３０】
スタートスイッチをオンした時点で、外気温度センサＳ３が検出する温度が２３度Ｃ〜２７度Ｃのときには、エアコンデイショナー３を停止させたままでモータＭを駆動制御して地窓４を開ける。外気風速センサＳ５が検出する風速が強いとき、例えば風速が１.２ｍ／(秒)ないし２ｍ／(秒)のときには、地窓４を半開させる。
【００３１】
体動のカウント数が２回／（時間）以上のときには、地窓４を閉成し、エアコンデイショナー３を駆動させる。
【００３２】
地窓４が全開または半開のとき（エアコンデイショナー３は停止）、外気温度センサＳ３が検出する温度が低下した場合、例えば２２度Ｃ以下になったときには地窓４を閉める。
【００３３】
上述のように、体動のカウント数に応じてエアコンデイショナー３や地窓４の開閉動作の制御を行うので、季節に拘わらず快適な睡眠が確実に得られる。また、外気の温度が低いときには地窓４を開けてエアコンデイショナー３の駆動を停止させるものであるから、省エネも図ることができる。
【００３４】
上記実施例では、室内湿度センサＳ２，外気温度センサＳ３，外気湿度センサＳ４，外気風速センサＳ５などを設けているが、必ずしもこれらセンサＳ２〜Ｓ５は必要でなく、室内温度センサＳ１と体動を検出する画像処理回路２０があればよい。また、センサＳ２〜Ｓ５のうち少なくともいずれか１つ設け、この設けたセンサと室内温度センサＳ１と画像処理回路２０の出力に基づいてエアコンデイショナー３を制御してもよい。
【図面の簡単な説明】
【００３５】
【図１】この発明に係る寝室を概略的に示した概念図である。
【図２】この発明に係る寝室環境制御システムの構成を示したブロック図である。
【符号の説明】
【００３６】
１    寝室
３    エアコンデイショナー
７    赤外線カメラ（撮像手段）
９    人
２０    画像処理回路（体動検出手段）
２２    制御装置
Ｓ１  室内温度センサ
【図１】
0004603466.tif 000002
【図２】
0004603466.tif 000003